(57)【特許請求の範囲】
【請求項１】
上下の水平耐火区画の間に延び且つ壁芯に沿って整列配置された垂直な鋼製スタッドと、横張り方向に配向され且つ前記スタッドに固定された下地面材と、該下地面材の上に縦張り方向に固定された内装化粧板とから構成される耐火間仕切壁における耐火目地構造において、
前記下地面材の横目地は、前記内装化粧板の縦目地との交差部を有し、
前記縦目地は、前記内装化粧板の室内側壁面に目透かし目地の形態に形成され、該縦目地の目地内には、耐火目地材が配置され、
該耐火目地材は、前記内装化粧板の縁部と前記下地面材との間に介挿される挿入部と、前記縦目地の目地底を隠蔽して前記交差部を閉塞する目地底部分とを備え、
前記耐火目地材は、左右の脚部と、該脚部の間の隆起部とを備えた金属板の成形部材からなり、前記脚部は、前記挿入部を構成することを特徴とする耐火間仕切壁の耐火目地構造。
【請求項２】
壁面温度上昇時に上昇気流を生起する目地内垂直通路が前記目地底部分の室内側に形成されることを特徴とする請求項１に記載の耐火目地構造。
【請求項３】
壁面温度上昇時に上昇気流を生起する目地内垂直通路が前記目地底部分と前記下地面材との間に形成されることを特徴とする請求項１又は２に記載の耐火目地構造。
【請求項４】
上下の水平耐火区画の間に延び且つ壁芯に沿って整列配置された垂直な鋼製スタッドと、横張り方向に配向され且つ前記スタッドに固定された下地面材と、該下地面材の上に縦張り方向に固定された内装化粧板とから構成される耐火間仕切壁における耐火目地構造において、
前記下地面材の横目地は、前記内装化粧板の縦目地との交差部を有し、
前記縦目地は、前記内装化粧板の室内側壁面に目透かし目地の形態に形成され、該縦目地の目地内には、耐火目地材が配置され、
該耐火目地材は、前記内装化粧板の縁部と前記下地面材との間に介挿される挿入部と、前記縦目地の目地底を隠蔽して前記交差部を閉塞する目地底部分とを備え、
前記耐火目地材は、帯板形態の金属板上に長尺且つ方形断面の不燃材を一体的に固定した構造を有し、該金属板の両側の縁部は、前記挿入部を構成することを特徴とする耐火間仕切壁の耐火目地構造。
【請求項５】
壁面温度上昇時に上昇気流を生起する目地内垂直通路が前記目地底部分の室内側に形成されることを特徴とする請求項４に記載の耐火目地構造。
【請求項６】
請求項１乃至５のいずれか１項に記載の耐火目地構造を備えた乾式工法の耐火間仕切壁。
【発明の詳細な説明】
【０００１】
【産業上の利用分野】
本発明は、耐火間仕切壁の目地構造に関するものであり、より詳細には、耐火間仕切壁の耐火性能を向上すべく目地交差部に挿入される耐火目地材に関するものである。
【０００２】
【従来の技術】
建築物の壁体は、建築物の用途及び規模等の建築物単体又は固有の条件、建築物の敷地及び配置等の集団的又は都市計画的な条件に基づき、強度、防耐火性能、耐震性能等の諸性能に関し、建築基準法の下で各種規制を受ける。また、国土交通省、住宅金融公庫、住宅・都市整備公団等の各公的機関は、標準仕様書又は特記仕様書等により、壁体の諸性能に関する基準を独自に定めており、このような機関の建築物では、壁体の性質及び種別等に応じて、更に詳細な断熱基準、遮音基準、防耐火基準、耐震基準等が適用される場合がある。
【０００３】
特に、建築物壁体の防耐火性能については、内装制限及び防耐火性能が建築基準法に厳格に規定されているので、壁体の構造及び構成材料は、建築基準法に規定された内装制限及び防耐火性能を遵守しなければならない。例えば、建築基準法は、建築物の用途、規模及び地域指定等に基づき、耐火建築物又は簡易耐火建築物として建築物全体の構造を規定するばかりでなく、建築物の用途、規模、延焼防止、避難、排煙、消火等の観点より、内装材料、内壁構造、建具構造、配管貫通部等の建築物内部の各部構成に関し、防耐火性能を規制している。ここに、現行の建築基準法の下では、建築物の内装材料は、不燃性能に関し、所定の不燃等級（不燃材、準不燃材及び難燃材）に分類され、建築物の壁体は、防耐火性能に関し、所定の構造種別（耐火構造、準耐火構造、防火構造、準防火構造等）に分類されている。
【０００４】
また、建築物の軽量化の観点より、軽量鉄骨製スタッドの両面に石膏ボード又は珪酸カルシウム板等の耐火性ボード材料を取付けた構造を有する乾式工法の耐火間仕切壁が、防火区画、排煙区画又は竪穴区画等の防火区画壁として使用されている。
【０００５】
図８は、乾式工法の耐火間仕切壁の構造を示す縦断面図である。図８に示す間仕切壁Ｗは、軽量鉄骨製スタッドＳを上下の床スラブ又は梁Ｆ１：Ｆ２の間に垂直に建込み、スタッドＳの両面に石膏ボード又は珪酸カルシウム板等のボード材料Ｂ１：Ｂ２を二重張りした構造のものである。この種の間仕切壁Ｗにおいては、内装化粧板、クロス又は塗装等の内装仕上材が上貼ボードＢ２上に更に積層され、内装仕上材は、室内側に面する内装仕上面Ｂ３を形成する。
【０００６】
【発明が解決しようとする課題】
このような構造の耐火間仕切壁では、下貼ボードＢ１を横張りに施工し、上貼ボードＢ２を縦張りに施工する施工形態が、施工精度、遮音性、耐火性、熱膨張収縮、強度、指向性等の観点より、望ましいと考えられる。このため、下貼ボードＢ１の施工面には、水平な横目地が形成され、上貼ボードＢ２の施工面には、垂直な縦目地が形成される。
【０００７】
ここに、本発明者は、表層仕上を工場加工した内装化粧板を上貼ボードとして直に使用し、下貼ボード及び内装化粧板からなる２層構造の壁面をスタッドＳの両側面に取付けた構造の耐火間仕切壁を研究してきた。このような耐火間仕切壁によれば、ボード材料Ｂ１、Ｂ２及び内装仕上材Ｂ３の３層構造からなる従来の耐火間仕切壁に比べて、工事費低減及び工期短縮等を図ることが可能となる。
【０００８】
しかしながら、この構造の間仕切壁に関して本発明者等が耐火試験を繰返し実施した結果、下貼ボード（下地面材）の横目地と、内装化粧板の縦目地とが交差する部分には、耐火性能が局所的に劣化する現象が生じ易いと判明した。
【０００９】
本発明は、かかる事情に鑑みてなされたものであり、その目的とするところは、軸組部材に下地面材を横張りに施工し且つ内装化粧板を下地面材の上に縦張りに施工した構造の耐火間仕切壁において、下地面材の横目地と、内装化粧板の縦目地との目地交差部に生じ得る局所的な耐火性能の劣化を防止し、火災時における熱気の漏出により局部的な高温域が縦目地近傍に発生するのを防止することにある。
【００１０】
【課題を解決するための手段及び作用】
上記目的を達成するために、本発明は、上下の水平耐火区画の間に延び且つ壁芯に沿って整列配置された垂直な鋼製スタッドと、横張り方向に配向され且つ前記スタッドに固定された下地面材と、該下地面材の上に縦張り方向に固定された内装化粧板とから構成される耐火間仕切壁における耐火目地構造において、
前記下地面材の横目地は、前記内装化粧板の縦目地との交差部を有し、
前記縦目地は、前記内装化粧板の室内側壁面に目透かし目地の形態に形成され、該縦目地の目地内には、耐火目地材が配置され、
該耐火目地材は、前記内装化粧板の縁部と前記下地面材との間に介挿される挿入部と、前記縦目地の目地底を隠蔽して前記交差部を閉塞する目地底部分とを備え、
前記耐火目地材は、左右の脚部と、該脚部の間の隆起部とを備えた金属板の成形部材からなり、前記脚部は、前記挿入部を構成することを特徴とする耐火間仕切壁の耐火目地構造を提供する。
本発明は又、上下の水平耐火区画の間に延び且つ壁芯に沿って整列配置された垂直な鋼製スタッドと、横張り方向に配向され且つ前記スタッドに固定された下地面材と、該下地面材の上に縦張り方向に固定された内装化粧板とから構成される耐火間仕切壁における耐火目地構造において、
前記下地面材の横目地は、前記内装化粧板の縦目地との交差部を有し、
前記縦目地は、前記内装化粧板の室内側壁面に目透かし目地の形態に形成され、該縦目地の目地内には、耐火目地材が配置され、
該耐火目地材は、前記内装化粧板の縁部と前記下地面材との間に介挿される挿入部と、前記縦目地の目地底を隠蔽して前記交差部を閉塞する目地底部分とを備え、
前記耐火目地材は、帯板形態の金属板上に長尺且つ方形断面の不燃材を一体的に固定した構造を有し、該金属板の両側の縁部は、前記挿入部を構成することを特徴とする耐火間仕切壁の耐火目地構造を提供する。
【００１１】
本発明の上記構成によれば、耐火間仕切壁の壁面は、直交する方向に配向した下地面材及び内装化粧板とから構成され、下地面材の横目地は、内装化粧板の縦目地と交差する。内装化粧板の縦目地は、目透かし目地の形態を有し、目地交差部には、局所的に耐火性能が劣る耐火上の弱点が生じ得る。しかしながら、少なくとも目地交差部に配設した耐火目地材は、縦目地の目地底を閉塞し、目地交差部からの熱気の噴出又は流出を阻止し、縦目地の近傍及び縦目地内に局所的な高温域が発生するのを防止する。
【００１２】
このような耐火目地材を備えた耐火間仕切壁によれば、片側の室に火災が発生した際に、間仕切壁の裏面全域が比較的平均的に温度上昇し、局部的な高温域が発生せず、従って、間仕切壁は、下地面材及び内装化粧板を直交する方向に配向したことによる縦横張り固有の作用（熱膨張・収縮及び強度の平準化等）と相まって、所望の耐火性能を発揮する。
【００１３】
【発明の実施の形態】
【００１４】
本発明の他の実施形態によれば、上記耐火目地材は、上記金属板上に長尺且つ方形断面の不燃材を一体的に固定した構造を有する。不燃材は、石膏ボード、石膏板、珪酸カルシウム板、木質系不燃材、金属材料、ロックウール等の裁断片からなる。金属板の縁部は、上記挿入部を構成し、不燃材は、上記隆起部に相当する。
【００１５】
隆起部又は不燃材は、縦目地内に耐火目地材を挿入する際の位置決め手段として機能するばかりでなく、縦目地の目地底の耐火性能を向上するように機能する。好ましくは、隆起部又は不燃材の隆起高さ又は厚さは、縦目地の深さよりも薄く設定され、内装化粧板の縦目地は、化粧板表面から引っ込んだ目透かし目地形状を維持する。このように縦目地の目透かし目地形態を維持し、縦目地内に室内側垂直通路を形成することにより、上昇気流を生起可能な垂直通路が、縦目地部分に形成される。垂直通路内には、間仕切壁の反対側の室に火災が発生したとき、壁面の温度上昇に伴う上昇気流が発生し、縦目地部分の温度上昇は、上昇気流の熱搬送・放熱作用により抑制される。このような領域は、耐火目地材と下地面材との間に内部垂直通路として更に形成しても良い。
【００１６】
【実施例】
以下、添付図面を参照して、本発明に係る耐火間仕切壁の実施例について、詳細に説明する。
図１乃至図３は、本発明に係る耐火間仕切壁の構造を示す縦断面図、横断面図及び斜視図である。
【００１７】
本実施例において、間仕切壁１は、鉄筋コンクリート床スラブＦ１上に施工される。間仕切壁１の下端部は、床スラブＦ１に固定され、間仕切壁１の上端部は、上階の鉄筋コンクリート床スラブＦ２に固定される。間仕切壁１の軸組は、鋼製スタッド１０、床ランナ１１及び天井ランナ１２により構成される。スタッド１０は、軽量鉄骨製のチャンネル型部材からなり、床ランナ１１及び天井ランナ１２は、軽量溝型鋼からなる。ランナ１１、１２は、アンカーボルト等の係止具１３によって床スラブＦ１、Ｆ２に夫々固定され、スタッド１０の下端部及び上端部が、床ランナ１１及び天井ランナ１２に夫々係止する。スタッド１０は、３００〜６００mm程度の寸法に設定された所定間隔（例えば、４５５mm間隔）を隔てて壁芯方向に整列し、床スラブＦ１、Ｆ２の間に垂直に立設する。
【００１８】
下貼ボード２が、ビス８及び／又は接着剤等によってスタッド１０の両側に取付けられ、工場加工により予め表面仕上４を施した化粧ボード３が、ビス９又はステープル（図示せず）によって下地ボード２の表面に固定される。下貼ボード２として、石膏ボード又は石膏板を好適に使用し、化粧ボード３として、化粧石膏ボード、化粧セメント板、化粧スレート、化粧珪酸カルシウム板等の不燃性の内装化粧板を好適に使用し得る。下貼ボード２として、硬質石膏板（比重約１．２５）又はガラス繊維補強石膏板（比重約１．０）を使用しても良い。化粧ボード３の仕上表面４が室内側に面し、仕上表面４は、クロス又は塗装等の内装仕上工事を施すことなく、室内側の仕上壁面を形成する。
【００１９】
図１に示す如く、床仕上材６が、床スラブＦ１上に施工され、巾木７が、間仕切壁１の下端縁に取付けられる。巾木７は、化粧ボード３の下端部に配置されたビス９のビス頭を室内側から被覆し、下端部のビス頭は、巾木７によって隠蔽される。巾木７として、汎用の既製巾木、例えば、ビニール巾木等を使用し得る。
【００２０】
天井軽鉄下地Ｃが、上階床スラブＦ２に懸吊され、天井仕上材５が、天井軽鉄下地Ｃに取付けられる。天井仕上材５は、天井廻り縁等の見切り縁（図示せず）を介して化粧ボード３の室内側壁面に連接する。廻り縁として、樹脂又は金属製の既製見切り縁又はジョイナーや、木材の加工品を使用し得る。所望により、天井廻り縁部分に目透かし目地を形成し、或いは、コーキング材又はシーリング材を充填したシール材充填目地を形成しても良い。
【００２１】
図３に示す如く、下地ボード２は、横張り方向に施工され、化粧ボード３は、縦張り方向に施工される。上下の下地ボード２は、横目地２０において互いに突付けられる。複数の横目地２０は、突付け目地形態の継目として水平且つ平行に延びる。他方、化粧ボード３の縦目地３０は、目透かし目地の形態に施工され、縦目地３０の幅は、約３〜１０mm程度の寸法、例えば５mmに設定される。
【００２２】
このように下地ボード２及び化粧ボード３を直交方向に施工した場合、ボード張り作業の施工誤差を修正し得るばかりでなく、強度、遮音性能、熱膨張・収縮性及び強度等の諸物性に関する各ボード２、３の指向性ないし方向性の相違により、壁面全体の諸物性を全体的に平準化することができ、この結果として、壁面全体の品質を向上することができる。しかしながら、本発明者等が、この状態（即ち、耐火目地材を取付ける前の状態）の間仕切壁に関して耐火試験を実施した結果、横目地２０及び縦目地３０の目地交差部２５には、熱風の吹抜けが生じる可能性が高く、これが耐火上の弱点となることが判明した。即ち、下地ボード２及び化粧ボード３を直交方向に配向することは、施工性、あるいは、間仕切壁の各種性能を向上する上で有利である反面、目地交差部２５には、各ボード２、３の熱膨張時又は熱変形時に微細な隙間又は小孔が生じ易く、このような隙間又は小孔は、間仕切壁１の片側の高温雰囲気を壁体の反対側に漏出又は噴出させる原因となり易い。
【００２３】
このため、本実施例の間仕切壁１は、図２に示す如く、縦目地３０内に配設した耐火目地材４０を備える。
図４は、耐火目地材４０の構造を示す間仕切壁１の部分拡大断面図である。
【００２４】
耐火目地材４０は、厚さ０．３〜０．５mmの防錆鋼板又は化粧鋼板、例えば、厚さ０．３mmの亜鉛鉄板の曲げ成形品からなり、全長に亘って均一なハット型（帽子型）の断面形状を有する。耐火目地材４０は、縦目地３０の左右に延びる一対の脚部４１と、縦目地３０内に位置する隆起部４２とを備える。耐火目地材４０の左右の脚部４１は、下地ボード２及び化粧ボード３の間に介挿され、ボード２、３の間に挟持される。実際の施工において、耐火目地材４０は、下地ボード２上に化粧ボード３を上張りする際に縦目地３０の部分に位置決めされ、化粧ボード３の縁部により下地ボード２上に押付けられる。所望により、接着材又は接着剤を脚部４１に塗布し、脚部４１をボード２、３に接着しても良い。中央に位置する隆起部４２は、ボード２の表面から僅かに隆起するが、目地底を構成する隆起部４２の表面は、化粧ボード３の表層から依然として距離を隔て、目地内に引っ込んでおり、従って、縦目地３０の目透かし目地形態は、耐火目地材４０の配設によってその意匠性を損なうことはない。同時に、隆起部４２が表面仕上４から引っ込むことにより、隆起部４２の室内側に室内側垂直通路４５が形成され、亜鉛鉄板が隆起することにより、隆起部４２と下地ボード２との間に内部垂直通路４６が形成される。
【００２５】
図１に示す如く、長尺の耐火目地材４０は、床スラブＦ１から上階床スラブＦ２まで連続し、間仕切壁１の全高に亘って延在する。横目地２０と縦目地３０との交差部２５は、耐火目地材４０により閉塞し、室内側から実質的に完全に隠蔽される。従って、一方の側の室に火災が発生して間仕切壁１が加熱されたとしても、火災時の熱気は、目地交差部２５から他方の側の室に漏出することなく、間仕切壁１の裏面温度（火災発生室とは反対側の室の壁面温度）に影響しない。従って、上記耐火目地材４０を目地交差部２５に設けることにより、目地交差部２５の近傍に局所的な高温域が形成されるのを防止することができる。
【００２６】
実際、本発明者は、耐火目地材４０を備えた上記構成の間仕切壁１に関し、耐火試験を繰返し実施したが、耐火目地材４０を備えた間仕切壁１にあっては、縦目地３０の近傍の雰囲気温度は、縦目地３０の全長に亘って２００℃（室温＋１８０℃）未満の値を示しており、この結果、熱気の漏出による局所的高温域の形成は、耐火目地材４０の配設により確実に防止し得ることが確認された。
【００２７】
また、上述の室内側垂直通路４５には、壁面温度上昇時に上昇気流が発生し、上昇気流は、縦目地部分の温度上昇を上昇気流の熱搬送・放熱作用により抑制するよう機能する。このため、上記耐火目地材４０の構造は、縦目地３０近傍の温度上昇を抑制する上で有利に作用すると考えられる。同様に、内部垂直通路４６も又、縦目地部分の温度上昇を熱搬送・放熱作用により抑制する上昇気流を下地ボード２と隆起部４２との間に生起する。
【００２８】
図５乃至図７は、耐火目地材４０の変形例を示す間仕切壁の部分拡大断面図である。
図５に示す耐火目地材５０は、厚さ０．３〜０．５mmの防錆鋼板又は化粧鋼板、例えば、厚さ０．３mmの亜鉛鉄板の帯板からなる。耐火目地材５０は、全長に亘って均一且つ平坦な断面形状を有し、耐火目地材５０の縁部領域５１は、下地ボード２及び化粧ボード３の間に介挿され、ボード２、３の間に挟持される。耐火目地材５０の中央帯域５２は、目地交差部２５の目地底を閉塞し、目地交差部２５における熱気の流通を阻止する。
【００２９】
図６に示す耐火目地材６０は、厚さ０．３〜０．５mmの防錆鋼板又は化粧鋼板、例えば、厚さ０．３mmの亜鉛鉄板の帯板と、帯板の中央帯域６２に一体的に固定した方形断面の不燃材６３とから構成される。不燃材６３は、石膏ボード、石膏板又は珪酸カルシウム板の裁断片からなり、帯板と同一の全長を有する長尺の有形部材として、耐熱性接着材又は接着剤によって中央帯域６２の片面に固定される。全体的にハット型に形成された耐火目地材６０は、左右の脚部６１を下地ボード２及び化粧ボード３の間に介挿した状態で縦目地３０内に保持される。所望により、接着材又は接着剤を脚部６１に塗布し、耐火目地材６０をボード２、３に接着しても良い。
【００３０】
図７に示す耐火目地材７０は、図６に示す耐火目地材６０と同じく、帯板の中央帯域７２に不燃材７３を一体的に取付けた構造を有する。しかしながら、耐火目地材７０の脚部７１は、不燃材７３の一方の側にのみ形成される。耐火目地材７０は、縦目地３０の片側の下地ボード２及び化粧ボード３の間に脚部７１を介挿した状態で縦目地３０内に保持される。
【００３１】
なお、図５乃至図７に示す耐火目地材５０、６０、７０において、所望により、接着材又は接着剤を縁部領域５１又は脚部６１、７１に塗布し、耐火目地材５０、６０、７０をボード２、３に接着しても良い。
以上、本発明の好適な実施例について詳細に説明したが、本発明は上記実施例に限定されるものではなく、特許請求の範囲に記載された本発明の範囲内で種々の変形又は変更が可能であり、該変形例又は変更例も又、本発明の範囲内に含まれるものであることは、いうまでもない。
【００３２】
例えば、下地ボード及び化粧ボードの素材は、耐火間仕切壁の面材として使用可能な耐火性及び不燃性を備えたものであれば良く、上述した石膏ボード、石膏板、珪酸カルシウム板等に限定されるものではない。
【００３３】
また、前述の実施例は、壁芯位置にスタッドを配置したシングル配列の間仕切壁に関するものであるが、壁芯の両側に２列にスタッドを整列配置したダブル配列の間仕切壁に本発明の構成を採用しても良い。
【００３４】
【発明の効果】
以上説明した如く、本発明の上記構成によれば、軸組部材に下地面材を横張りに施工し且つ内装化粧板を下地面材の上に縦張りに施工した構造の耐火間仕切壁において、下地面材の横目地と、内装化粧板の縦目地との目地交差部に生じ得る局所的な耐火性能の劣化を防止し、火災時における熱気の漏出により局部的な高温域が縦目地近傍に発生するのを防止することができる。
【図面の簡単な説明】
【図１】本発明の実施例に係る耐火間仕切壁の縦断面図である。
【図２】図１の II-II線における耐火間仕切壁の断面図である。
【図３】図１及び図２に示す耐火間仕切壁の部分破断斜視図である。
【図４】図１乃至図３に示す耐火間仕切壁の目地構造を示す部分拡大断面図である。
【図５】耐火目地材の変形例を示す間仕切壁の部分拡大断面図である。
【図６】耐火目地材の他の変形例を示す間仕切壁の部分拡大断面図である。
【図７】耐火目地材の更に他の変形例を示す間仕切壁の部分拡大断面図である。
【図８】耐火目地材を備えていない耐火間仕切壁の構造を示す間仕切壁の縦断面図である。
【符号の説明】
１  間仕切壁
２  下貼ボード
３  化粧ボード
４  仕上表面
１０  鋼製スタッド
２０  横目地
２５  目地交差部
３０  縦目地
４０、５０、６０、７０  耐火目地材
【図１】
0004021156.tif 000002
【図２】
0004021156.tif 000003
【図３】
0004021156.tif 000004
【図４】
0004021156.tif 000005
【図５】
0004021156.tif 000006
【図６】
0004021156.tif 000007
【図７】
0004021156.tif 000008
【図８】
0004021156.tif 000009